(57)【要約】【課題】表示装置固有の特性により生じる画像劣化を、鑑賞する人に違和感を与えないように補正する。【解決手段】補正処理前のメイン情報を所定の表示方式により表示する補正用表示装置１４と、補正用表示装置１４に表示されている表示画像に基づき、専門家により指摘された劣化個所について場所等の情報を生成する情報入力部１５と、情報入力部１５により入力した情報に応じて劣化個所の表示画像を補正するための補正情報を生成する補正情報生成部１１とを備えることで実現する。【選択図】  図３
2004233679.tif 000002
【特許請求の範囲】
【請求項１】
補正処理前のメイン情報を所定の表示方式により表示する表示手段と、
上記表示手段に表示されている表示画像に基づいて情報を入力する情報入力手段と、
上記情報入力手段により入力した情報に基づき、所定個所の画像を補正するための補正情報を生成する補正情報生成手段とを備えることを特徴とする信号処理装置。
【請求項２】
上記補正情報を上記メイン情報とともに記録する記録手段を備えることを特徴とする請求項１記載の信号処理装置。
【請求項３】
上記補正情報を上記メイン情報とともに配信する配信手段を備えることを特徴とする請求項１記載の信号処理装置。
【請求項４】
上記情報入力手段は、人為的な操作により劣化が生じている場所を示す情報が入力されることを特徴とする請求項１記載の信号処理装置。
【請求項５】
補正処理前のメイン情報を所定の表示方式により表示部に表示し、
上記表示部に表示されている表示画像に基づいて情報を入力し、
上記入力した情報に基づき、所定個所の画像を補正するための補正情報を生成することを特徴とする信号処理方法。
【請求項６】
補正処理前のメイン情報を所定の表示方式により表示部に表示する表示工程と、
上記表示部に表示されている表示画像に基づいて情報を入力する情報入力工程と、
上記情報入力工程により入力した情報に基づき、所定個所の画像を補正するための補正情報を生成する補正情報生成工程をコンピュータに実行させるためのプログラム。
【請求項７】
補正処理前のメイン情報を所定の表示方式により表示部に表示する表示工程と、
上記表示部に表示されている表示画像に基づいて情報を入力する情報入力工程と、
上記情報入力工程により入力した情報に基づき、所定個所の画像を補正するための補正情報を生成する補正情報生成工程を実行させるためのプログラムを記録したコンピュータ読み取り可能な記録媒体。
【発明の詳細な説明】
【０００１】
【発明の属する技術分野】
表示画像の劣化個所を補正する信号処理装置及び方法、プログラム、記録媒体に関する。
【０００２】
【従来の技術】
再生装置は、表示部が接続されており、所定の処理を行なった映像信号を上記表示部に出力する。表示部は、再生装置から入力された映像信号を、所定の表示形式（例えば、ＣＲＴ、ＬＣＤ等）で表示する。このとき、表示部が採用している表示原理による固有の特性により劣化が生じ、表示画像に影響を与えることがある。
【０００３】
再生装置では、このような表示画像に影響を与える劣化を補正するための補正処理部を備えている。補正処理部は、接続されている表示部が採用している表示原理の特性により生じる劣化を予測し、映像信号に上記予測に基づいた補正処理を行い、当該劣化を除去した補正処理後の映像信号を表示部に供給している（例えば、非特許文献１参照。）。
【０００４】
【非特許文献１】
内田龍男他監修「フラットパネルディスプレイ大事典」株式会社工業調査会、２００１年１２月２５日
【０００５】
【発明が解決しようとする課題】
しかしながら、再生装置に接続される表示部には、表示原理の違いによりＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）及びＰＤＰ（Ｐｌａｓｍａ  ｄｉｓｐｌａｙ  ｐａｎｅｌ）等の複数の種類があり、その全てに対応する場合には、対応する表示部の数だけそれぞれに対応する補正処理部が必要となるため、装置が大型化し、高価となる問題がある。
【０００６】
また、補正処理部では、機械的に画像劣化個所を検出し、検出した個所の補正処理を行なうため、画像劣化個所を検出するタイミングが遅かったり又は速かったりして、画像劣化が残ってしまう場合があり、また、補正処理が強すぎたり又は弱すぎたりして、実際に、表示画像を鑑賞する人に違和感を与えてしまう場合がある。さらに、補正処理部は、予測のための演算機能が膨大となり、装置が高価となる問題もある。
【０００７】
さらに、再生装置側での補正処理の負担を軽減するために、再生装置に供給する前の映像信号に予め表示部の特性を考慮した補正を行い、補正後の映像信号を再生装置に供給し、表示するシステムに変更しても、予め補正処理の対象とする表示部が再生装置に接続されている必要があり、表示部を特定のものに制限してしまう問題がある。
【０００８】
そこで、本発明は、上述したような実情に鑑みて提案されたものであり、表示部固有の特性による画像劣化を補正し、補正後の表示画像を鑑賞する人に違和感のない表示画像を表示部に出力することができる信号処理装置及び方法、プログラム、記録媒体を提供することを目的とする。
【０００９】
【課題を解決するための手段】
本発明に係る信号処理装置は、上述の課題を解決するために、補正処理前のメイン情報を所定の表示方式により表示する表示手段と、上記表示手段に表示されている表示画像に基づいて情報を入力する情報入力手段と、上記情報入力手段により入力した情報に基づき、所定個所の画像を補正するための補正情報を生成する補正情報生成手段とを備える。
【００１０】
また、本発明に係る信号処理方法は、上述の課題を解決するために、補正処理前のメイン情報を所定の表示方式により表示部に表示し、上記表示部に表示されている表示画像に基づいて情報を入力し、上記入力した情報に基づき、所定個所の画像を補正するための補正情報を生成する。
【００１１】
また、本発明に係るプログラムは、補正処理前のメイン情報を所定の表示方式により表示部に表示する表示工程と、上記表示部に表示されている表示画像に基づいて情報を入力する情報入力工程と、上記情報入力工程により入力した情報に基づき、所定個所の画像を補正するための補正情報を生成する補正情報生成工程をコンピュータに実行させるものである。
【００１２】
さらに、本発明に係るコンピュータに読み取り可能な記録媒体は、補正処理前のメイン情報を所定の表示方式により表示部に表示する表示工程と、上記表示部に表示されている表示画像に基づいて情報を入力する情報入力工程と、上記情報入力工程により入力した情報に基づき、所定個所の画像を補正するための補正情報を生成する補正情報生成工程を実行させるためのプログラムを記録したものである。
【００１３】
【発明の実施の形態】
以下に、本発明の実施の形態について図面を参照しながら詳細に説明する。
【００１４】
一般的に再生装置は、表示装置が接続されており、所定の処理を行なった映像信号を表示装置に出力する。表示装置は、再生装置から入力された映像信号を所定の表示形式で表示する。表示装置には、例えば、ＣＲＴ（ｃａｔｈｏｄｅ  ｒａｙ  ｔｕｂｅ）、ＬＣＤ（ｌｉｑｕｉｄ  ｃｒｙｓｔａｌ  ｄｉｓｐｌａｙ）及びＰＤＰ（ｐｌａｓｍａ  ｄｉｓｐｌａｙ  ｐａｎｅｌ）等の表示原理の違う様々な形態のものがある。また、表示装置は、それぞれの表示原理による固有の特性を持っており、この特性により表示画像を劣化させてしまうことがある。本発明は、このような表示部固有の特性により生じる表示画像に影響を与える劣化を、受信部に多大な負担をかけずに補正処理し、かつ表示装置の表示画像を鑑賞する人に違和感のない表示画像を提供するものである。
【００１５】
ここで、表示装置としてＣＲＴを採用した場合について述べる。
【００１６】
再生装置１は、図１に示すように、ＣＲＴ２が接続されており、入力された映像信号に所定の処理を行ない、処理後の映像信号をＣＲＴ２に出力する。ＣＲＴ２は、画像を表示する表示部を有しており、入力された映像信号を表示画像に変換し、当該表示部に表示する。このとき、ＣＲＴ２は、入出力特性が２乗特性に近い、いわゆる非線形のガンマ特性を生じるため、表示画像のコントラストが原画像と異なるものとなる。
【００１７】
ここで、ガンマ特性について説明する。ガンマ特性は、画像の中間調を表す特性であり、画像情報を光信号から電気信号に、あるいは電気信号から光信号に変換するときに、出力信号が入力信号の何乗に比例するかを表し、べき数（ガンマ）で表される。なお、入出力信号が比例し直線性を持つときのガンマ特性を１（γ＝１）としている。また、入出力信号の対数グラフでは、直線又は曲線の傾きが４５度のときにγ＝１とし、それより大きな傾きになるとガンマ特性は１よりも大きくなり（γ＞１）、逆に小さな傾きになるとガンマ特性は１よりも小さくなる（γ＜１）。一般的に、ガンマ特性が１よりも大きい画像はコントラストが強くなり、ガンマ特性が１よりも小さい画像はコントラストが弱く、ねぼけてみえる。
【００１８】
また、ＣＲＴに表示されている画像を、撮像したときのものと同等のコントラストにするためには、ＣＲＴによる非線形のガンマ特性（図２（ａ））を線形（直線）のガンマ特性（図２（ｃ））に調整する必要がある。そこで、非線形のガンマ特性を除去するために、ＣＲＴに入力する映像信号に、予め非線形のガンマ特性を線形のガンマ特性に補正する処理（以下、ガンマ補正処理という。）（図２（ｂ））を行なっておく方法ある。なお、上記ガンマ補正処理は、再生装置に備えられている補正処理部で行なうものと、再生装置に入力する前に行うものとがある。
【００１９】
ここで、再生装置に備えられている補正処理部でガンマ補正処理を行なう場合について以下に述べる。再生装置は、入力された映像信号を補正処理部に供給し、補正処理部でガンマ補正処理を行ない、ガンマ補正処理後の映像信号をＣＲＴに出力する。ところで、上記補正処理部は、表示画像の絵柄と無関係にガンマ補正処理を行なうため、補正処理が強すぎたり又は弱すぎたりして、実際に表示画像を鑑賞する人に違和感を与えてしまう場合があり、また、映像信号にガンマ補正処理を行なうのに演算機能が膨大となり、装置が高価となってしまう。
【００２０】
つぎに、再生装置に入力する前にガンマ補正処理を行なう場合について以下に述べる。例えば、カメラで被写体を撮像し、撮像したデータを所定のパッケージ・メディアに記録する場合には、撮像したデータにガンマ補正処理を行ない、ガンマ補正処理後のデータをパッケージ・メディアに記録する。再生装置は、上記パッケージ・メディアからガンマ補正処理後のデータを読み出し、読み出したデータをＣＲＴに出力する。
【００２１】
また、例えば、カメラで被写体を撮像し、撮像したデータを放送信号に変調し、出力する場合には、撮像したデータにガンマ補正処理を行ない、ガンマ補正処理後のデータを放送信号に変調し、出力する。再生装置は、上記放送信号を受信し、ガンマ補正後のデータを抽出し、抽出したデータをＣＲＴに出力する。なお、一般的には、ガンマ補正処理は、再生装置に入力する前に行なっておく場合が多い。
【００２２】
このような構成の再生装置では、上述したような演算回路が膨大となるガンマ補正処理を行なう補正処理部を備える必要がないので廉価となる。しかし、この場合でもガンマ補正処理は表示画像の絵柄と無関係に行なわれるため、補正処理が強すぎたり又は弱すぎたりして、実際に表示画像を鑑賞する人に違和感を与えてしまう場合がある。
【００２３】
そこで、本発明では、実際に表示画像を鑑賞する人に違和感を与えない補正処理を行ない、かつ、再生装置（受信部）側の補正処理の負担を軽減するシステムを提案する。
【００２４】
本発明を適用するシステムは、図３に示すように、送信部３と受信部４とにより構成されている。送信部３は、被写体を撮像する撮像部１０と、映像を補正する映像補正部１１とを備える。また、映像補正部１１で補正した映像信号を所定のパッケージ・メディアに記録する場合には、映像補正部１１の後段に所定のパッケージ・メディアに映像信号を記録する映像記録部１２が備えられる。また、映像補正部１１で補正した映像信号を所定の放送方式の信号に変調する場合には、映像補正部１１の後段に所定の放送方式の信号に映像信号を変調する変調部１３が備えられる。なお、送信部３は、映像記録部１２と変調部１３の両方を備えていても良い。
【００２５】
ここで、映像補正部１１による映像信号の補正動作について述べる。映像補正部１１には、撮像部１０で撮像した画像を無補正（ガンマ補正無し）で表示する補正用ＣＲＴ１４と、上記補正用ＣＲＴ１４に表示されている表示画像の劣化個所に関する情報を手動で入力操作する操作部１５が接続されている。例えば、映像の専門家が補正用ＣＲＴ１４に表示されている無補正の画像を鑑賞し、補正処理が必要な劣化個所を見つけ、操作部１５により所定の操作を行なう。この操作により、上記劣化個所を特定する情報が生成され、生成された情報が映像補正部１１に入力される。映像補正部１１は、入力された情報に応じて補正用データを生成し、生成した補正用データを元の画像に付加する補正処理を行なう。そして、映像補正部１１は、補正処理後の画像を再び補正用ＣＲＴ１４に出力する。専門家は、画像に劣化個所がなくなるまで上述した補正処理を繰り返し行なう。
【００２６】
また、映像補正部１１は、生成した補正用データをメモリに記憶させる。なお、映像補正部１１では、専門家が認識した劣化個所のすべてを補正するので、補正の対象はガンマ特性のみに限られない。また、バランスの良い補正処理を行なうために、上記補正処理は、複数人の専門家で行なっても良い。
【００２７】
映像補正部１１は、上述のようにして生成した補正用データと、撮像部１０から供給された無補正の映像信号を映像記録部１２又は変調部１３に出力する。
【００２８】
映像記録部１２は、補正用データと無補正の映像信号を所定のパッケージ・メディアに記録する。なお、パッケージ・メディアがＤＶＤ（Ｄｉｇｉｔａｌ  Ｖｅｒｓａｔｉｌｅ  Ｄｉｓｃ）等の光ディスクの場合には、データエリアに映像信号を記録し、空きエリアに補正用データを記録する。また、パッケージ・メディアがＶＨＳ（Ｖｉｄｅｏ  Ｈｏｍｅ  Ｓｙｓｔｅｍ）（登録商標）等のテープ媒体の場合には、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）信号のブランキング期間に補正用データを重畳させ、映像信号を記録トラックに記録する。
【００２９】
また、変調部１３は、補正用データと無補正の映像信号とを放送方式に応じた信号に変調する。放送方式がＮＴＳＣ方式の場合には、補正用データは、ブランキング期間に重畳され、無補正の映像信号とともに受信部４に送信される。
【００３０】
一方、受信部４は、パッケージ・メディアから映像信号と補正用データを読み出すデータ読出部１６と、送信部３の変調部１３から送信されてきた信号を受信する信号受信部１９と、信号受信部１９で受信した信号から映像信号と補正用データを抽出する抽出部２０と、補正用データに基づき映像信号に所定の処理を行なう処理部１７と、処理後の映像信号をＣＲＴ２に出力する出力部１８を備えている。なお、受信部４は、再生装置１と同様の働きをする。
【００３１】
ここで、映像記録部１２で生成されたパッケージ・メディアから映像信号及び補正用データを読み出し、補正用データに基づき補正処理をした映像信号をＣＲＴ２で表示する場合の受信部４の動作について説明する。データ読出部１６は、パッケージ・メディアから映像信号及び補正用データを読み出して、処理部１７に出力する。処理部１７は、データ読出部１６から供給された映像信号を専門家による補正処理に応じて生成した補正用データに基づき所定の処理を行ない、処理後の映像信号を出力部１８に供給する。出力部１８は、供給された映像信号をＣＲＴ２に適合した信号に変換し、変換後の映像信号をＣＲＴ２に出力する。ＣＲＴ２は、画像を表示する表示部を有しており、出力部１８から入力された映像信号を表示用の画像に変換し、当該表示部に画像を表示する。
【００３２】
また、変調部１３で変調された放送信号を受信し、受信した信号を表示画像に変換しＣＲＴ２で表示する場合の受信部４の動作について説明する。信号受信部１９は、変調部１３から供給された信号を受信し、抽出部２０に出力する。抽出部２０は、入力された信号から映像信号と補正用データを抽出し、処理部１７に出力する。処理部１７は、補正用データに基づき映像信号に所定の処理を行ない、処理後の映像信号を出力部１８に供給する。出力部１８は、供給された映像信号をＣＲＴ２に適合した信号に変換し、変換後の映像信号をＣＲＴ２に出力する。ＣＲＴ２は、出力部１８から入力された映像信号を表示用の画像に変換し、表示部に画像を表示する。
【００３３】
このように構成されたシステムでは、送信部３において、専門家が補正用ＣＲＴ１４に表示されている画像を鑑賞し、補正処理が必要な個所を見つけ、当該専門家の目から見て違和感が無くなる程度まで補正処理を行い、上記補正処理に基づき補正用データを生成し、無補正の画像と補正用データを所定の形式で受信部４に出力し、また、受信部４において、送信部３から供給された無補正の画像を補正用データに基づき所定の処理を行いＣＲＴ２に出力するので、受信部４による補正処理の負担を軽減することができ、また、専門家の判断に基づいて生成された補正用データにより画像の補正処理を行なうので、実際にＣＲＴ２の表示画像を鑑賞する人に違和感を与えない表示画像を提供することができる。
【００３４】
つぎに、表示装置としてＬＣＤを採用した場合について述べる。
【００３５】
再生装置５は、図４に示すように、ＬＣＤ６が接続されており、入力された映像信号に所定の処理を行ない、処理後の映像信号をＬＣＤ６に出力する。ＬＣＤ６は、画像を表示する表示部を有しており、入力された映像信号を表示画像に変換し、当該表示部に表示する。ＬＣＤ６では、この表示画像を表示するときに様々な原因により画像劣化の原因となる動きぼけが発生する。以下に、画像劣化の原因である応答ぼけとホールドぼけについて説明する。
【００３６】
ＬＣＤ６では、外部刺激（例えば、電圧を印加する）を与えて、液晶分子を回転させることで輝度を変化させている。このとき、印加する輝度電圧が低いと液晶分子を回転させるトルクが弱くなり、輝度変化への応答が遅れる現象（以下、応答ぼけという。）が生じる。そこで、ＬＣＤ６を表示装置として採用している再生装置５では、図５に示すフローチャートの手順に従ってこの応答ぼけを補正する処理（オーバードライブ処理）を行なっている。
【００３７】
ステップＳＴ１において、再生装置５は、例えば、パッケージ・メディアから映像信号を読み出す。
【００３８】
ステップＳＴ２において、再生装置５は、図６（ａ）の斜線部分に示すように、画像の各画素において輝度値が変化する直前のフレーム（以下、前フレームという。）と直後のフレーム（以下、後フレームという。）との差分を検出する。
【００３９】
ステップＳＴ３において、再生装置５は、上記ステップＳＴ２で検出した前フレームと後フレームの差分に基づいて補正量（差分の１／２）を算出する。
【００４０】
ステップＳＴ４において、再生装置５は、図６（ｂ）の斜線部分に示すように、上記ステップＳＴ３で算出した補正量を輝度が変化した後のフレームに加算する。
【００４１】
ステップＳＴ５において、再生装置５は、上記ステップＳＴ４により応答ぼけを補正した映像信号をＬＣＤ６に出力する。
【００４２】
しかし、上記ステップＳＴ３では、前フレームと後フレームの差分の絶対値に基づき自動的に補正量を算出しているため、例えば、輝度の階調が２５６値のときには、２５６個の補正値を保持するために、大規模なルックアップテーブルを備える必要があり、そのために回路規模が大型化し、再生装置５が高価になる問題がある。
【００４３】
また、ＬＣＤ６では、各フィールドの表示光が１フィールド間ほぼ一定の輝度に保たれるため、表示光の変化が階段状（実際のＬＣＤではデバイスの応答時間が有限であるため、指数関数的に変化する。）になり、動きぼけ（以下、ホールドぼけという。）が生じる。このホールドぼけの原理は、例えばの文献（栗田泰市郎「液晶ディスプレイで生じる原理的な動画質劣化とその改善法」、信学技法、ＥＩＤ２０００−４７（２０００−０９））等で明らかにされ、図７に示すようなメカニズムにより生じる。
【００４４】
これは、動物体の動きに目がついて来る場合、目は、１／３００秒程度の早さで画像を取り込むのに対し、ＬＣＤが採用する常時発光型ディスプレイは、１／６０秒間は画が動かないために動物体の明暗部分を目が積分してしまい、動きぼけを知覚してしまう。これを対策するには、画像の更新回数を１／６０秒よりも早い、例えば１／１２０秒ごとに行なうか、又は、瞬時発光型ディスプレイであるＣＲＴに近くなるように、１／６０秒のフレームの半分を黒画面にする等の手段が考えられる。
【００４５】
しかし、上述のように動画の更新回数を常に１／１２０秒にするのは、常時発光型ディスプレイにおいては、倍速処理と動き補償処理が複雑となり、かつ回路規模も膨大になってしまう。また、上述のようにフレーム時間の半分を黒画面にすると、輝度が常時半分に落ちてしまう問題が生じる。
【００４６】
一方、応答ぼけやホールドぼけを再生装置５の補正処理部で自動的に検出し、補正処理を行なおうとすると、ＬＣＤ６の表示画面において、補正処理を行なった個所のエッジが不必要に強調されたりして、実際に表示画像を鑑賞する人に違和感を与えてしまう場合がある。
【００４７】
また、ホールドぼけに対する補正処理は、本来ならば等速直線動きのみに適応した処理が望ましいのに、実際は、均一に表示画面の発光時間を制限するため、輝度低下やフリッカを起こす場合がある。
【００４８】
そこで、本発明では、実際に表示画像を鑑賞する人に違和感を与えない補正処理を行ない、かつ、再生装置（受信部）側の補正処理の負担を軽減するシステムを提案する。
【００４９】
本発明を適用するシステムは、図８に示すように、送信部７と受信部８とにより構成されている。送信部７は、被写体を撮像する撮像部３０と、映像を補正する映像補正部３１とを備える。また、映像補正部３１で補正した映像信号を所定のパッケージ・メディアに記録する場合には、映像補正部３１の後段に所定のパッケージ・メディアに映像信号を記録する映像記録部３２が備えられる。また、映像補正部３１で補正した映像信号を所定の放送方式の信号に変調する場合には、映像補正部３１の後段に所定の放送方式の信号に映像信号を変調する変調部３３が備えられる。なお、送信部７は、映像記録部３２と変調部３３の両方を備えていても良い。
【００５０】
ここで、映像補正部３１による映像信号の補正動作について述べる。映像補正部３１には、撮像部３０で撮像した画像を無補正で表示する補正用ＬＣＤ３４と、上記補正用ＬＣＤ３４に表示されている表示画像の劣化個所に関する情報を手動で入力操作する操作部３５が接続されている。例えば、映像の専門家が補正用ＬＣＤ３４に表示されている無補正の画像を鑑賞し、補正処理が必要な劣化個所（例えば、応答ぼけ等による動きぼけが発生している個所）を見つけ、操作部３５により所定の操作を行なう。この操作により、上記劣化個所を特定する情報（以下、インデックス情報という。）が生成され、生成されたインデックス情報が映像補正部３１に入力される。映像補正部３１は、入力されたインデックス情報に応じて、例えば、劣化が生じている個所のフレームにオーバードライブ処理を行なって補正用データを生成し、生成した補正用データを元の画像に付加する処理を行なう。つまり、映像補正部３１では、画素単位ではなくフレーム単位で補正処理を行なう。
【００５１】
そして、映像補正部３１は、補正処理後の画像を再び補正用ＬＣＤ３４に出力する。専門家は、画像に劣化個所がなくなるまで上述した補正処理を行なう。
【００５２】
また、映像補正部３１は、生成した補正用データをメモリに記憶させる。なお、映像補正部３１では、専門家が認識した劣化個所のすべてを補正するので、補正の対象は動きぼけのみに限られない。また、バランスの良い補正処理を行なうために、上記補正処理は、複数人の専門家で行なっても良い。
【００５３】
映像補正部３１は、上述のようにして生成した補正用データとインデックス情報が付加された映像信号を映像記録部３２又は変調部３３に出力する。
【００５４】
映像記録部３２は、補正用データとインデックス情報が付加された映像信号を所定のパッケージ・メディアに記録する。例えば、パッケージ・メディアがＤＶＤ等の光ディスクの場合には、データエリアにインデックス情報が付加された映像信号を記録し、空きエリアに補正用データを記録する。また、パッケージ・メディアがＶＨＳ等のテープ媒体の場合には、ＮＴＳＣ信号のブランキング期間に補正用データを重畳させ、映像信号とともに記録トラックに記録する。
【００５５】
また、変調部３３は、補正用データとインデックス情報が付加された映像信号とを所定の放送方式に応じた信号に変調する。放送方式がＮＴＳＣ方式の場合には、補正用データは、ブランキング期間に重畳され、インデックス情報が付加された映像信号とともに受信部８に送信される。
【００５６】
一方、受信部８は、パッケージ・メディアから補正用データとインデックス情報が付加された映像信号を読み出すデータ読出部３６と、送信部７の変調部３３から送信されてきた信号を受信する信号受信部３９と、信号受信部３９で受信した信号から補正用データとインデックス情報が付加された映像信号を抽出する抽出部４０と、補正用データに基づきインデックス情報が付加された映像信号に所定の処理を行なう処理部３７と、処理後の映像信号をＬＣＤ６に出力する出力部３８とを備えている。
【００５７】
ここで、映像記録部３２で生成されたパッケージ・メディアから映像信号及び補正用データを読み出し、補正用データに基づき補正処理をした映像信号をＬＣＤ６で表示する場合の受信部８の動作について説明する。データ読出部３６は、パッケージ・メディアからインデックス情報が付加されている映像信号及び補正用データを読み出して、処理部３７に出力する。処理部３７は、映像信号からインデックスが付加されているフレームを検出し、対応する補正用データに基づき上記フレームに所定の処理を行ない、処理後の映像信号を出力部３８に供給する。なお、処理部３７は、映像信号に複数のインデックスが付加されている場合には、上記インデックスが付加されているフレームをすべて検出し、それぞれに対応する補正用データに基づき所定の処理を行なう。
【００５８】
出力部３８は、供給された映像信号をＬＣＤ６に適合した信号に変換し、変換後の映像信号をＬＣＤ６に出力する。ＬＣＤ６は、画像を表示する表示部を有しており、出力部３８から入力された映像信号を表示画像に変換し、当該表示部に表示する。
【００５９】
また、変調部３３で変調された放送信号を受信し、受信した信号を表示画像に変換しＬＣＤ６に表示する場合の受信部８の動作について説明する。信号受信部３９は、変調部３３から供給された信号を受信し、抽出部４０に出力する。抽出部４０は、入力された信号から補正用データとインデックス情報が付加されている映像信号を抽出し、処理部３７に出力する。処理部３７は、補正用データに基づきインデックス情報が付加されている映像信号に所定の処理を行ない、処理後の映像信号を出力部３８に供給する。出力部３８は、供給された映像信号をＬＣＤ６に適合した信号に変換し、変換後の映像信号をＬＣＤ６に出力する。ＬＣＤ６は、出力部３８から入力された映像信号を表示用の画像に変換し、表示部に画像を表示する。
【００６０】
また、送信部７において、映像信号にインデックス情報を付加する作業に加えて、倍速表示用の動き補償画像を生成しても良い。なお、当該画像は、大規模なコンピュータ演算により生成する。このように、倍速表示用の動き補償画像を生成しておけば、倍速表示機能の付いたＬＣＤ６でこれを読み出して、表示することができるので、受信部８に倍速用の演算処理部を備える必要がなくなる。また、フレーム時間の半分を黒画面にするときにも、ホールドぼけが専門家により知覚されたフレームのみを黒画面にする処理を行なえば良く、ホールドぼけが生じていないフレームに余計な処理を行なう必要が無くなる。なお、倍速表示用の動き補償画像を生成するときや黒画面処理の際にも、自動処理ではなく専門家の判断により好適に処理される。
【００６１】
ここで、上述した送信部７及び受信部８で構成されるシステムにより画像劣化を補正する手順について図９に示すフローチャートを用いて説明する。
【００６２】
まず、映像補正部３１に備えられている補正用ＬＣＤ３４で無補正の画像を表示する（ステップＳＴ１０）。専門家は、補正用ＬＣＤ３４に表示されている画像を鑑賞し（ステップＳＴ１１）、補正用ＬＣＤ３４に表示されている画像から応答ぼけが発生しているフレームを見つけだす（ステップＳＴ１２）。専門家は、応答ぼけが発生しているフレームを見つけた場合、映像補正部３１に備えられている操作部３５を操作する。操作部３５は、専門家の操作に応じてインデックス情報を生成し、生成したインデックス情報を映像補正部３１に出力する。また、このとき、専門家は、操作部３５を操作して映像信号を補正する補正量を直接入力しても良い。この場合、映像補正部３１は、上記補正量にしたがって補正用データを生成する。
【００６３】
映像補正部３１は、応答ぼけが発生しているフレームにオーバードライブ処理による補正処理を行ない補正用データを生成する（ステップＳＴ１３）。生成した補正用データに基づき補正した映像信号を補正用ＬＣＤ３４に表示し（ステップＳＴ１４）、補正用ＬＣＤ３４に表示されている画像を再び専門家がチェックする（ステップＳＴ１５）。
【００６４】
そして、補正用ＬＣＤ３４に表示されている画像がステップＳＴ１１で鑑賞したときに比べて良くなっているかどうかが専門家により判断され（ステップＳＴ１６）、良くなっていると判断された場合には、ステップＳＴ１１に戻り、悪くなっていると判断された場合には、１つ前の補正用データをメモリに記憶する（ステップＳＴ１７）。こうして生成された補正用データをインデックス情報が付加された映像信号とともに送信部７に送る。
【００６５】
受信部８では、処理部３７により補正用データに基づき映像信号に所定の処理を行ない、処理後の映像信号をＬＣＤ６に出力する（ステップＳＴ１８）。
【００６６】
ところで、現在、映像等を記録している各種のパッケージ・メディアでは、映像を表示する表示装置としてＣＲＴを想定しているため、図２（ｂ）に示すような、ガンマ補正処理を行なった映像信号が記録されている。したがって、例えばＬＣＤ６のような非ＣＲＴ系の表示装置が接続されている再生装置５では、まず、記録媒体から読み出した映像信号に、図２（ａ）に示すような非線形処理を行なってガンマ特性の影響を除去し、その後、ＬＣＤ６に特有のＳ字特性（図１０（ａ））を補正するために、逆Ｓ字補正（図１０（ｂ））を行なう必要がある。しかし、このような処理を行なうと、映像信号がデジタル信号の場合には、ガンマ補正処理により黒側が圧縮されているためにデータのビット落ちが発生してしまう。
【００６７】
そこで、本発明では、こうしたビット落ちを防ぐために、再生装置５に接続されている表示装置がＬＣＤ６の場合には、送信部７で映像信号に黒側の圧縮をかけずに、逆Ｓ字特性のみをかける処理を行なう。
【００６８】
このように構成されたシステムでは、送信部７において、専門家が補正用ＬＣＤ３４に表示されている画像を鑑賞し、動きぼけが発生している個所等の補正処理が必要な個所を見つけ、その個所にインデックス情報を付加し、当該専門家の目から見て違和感が無くなる程度まで上記インデックス情報を付加したフレーム全体にオーバードライブ処理による補正処理を行い、上記補正処理に基づき補正用データを生成し、無補正のインデックス情報が付加された映像信号と補正用データを所定の形式で受信部８に出力し、また、受信部８において、補正用データに基づいてインデックス情報が付加された映像信号に所定の処理を行い、処理後の映像信号をＬＣＤ６に出力し、かつ、受信部８に送信する映像信号に逆Ｓ字特性の処理を行なっておくので、受信部８による補正処理の負担を軽減することができ、また、専門家の判断に基づいて生成された補正用データにより画像の補正処理を行なうので、実際にＬＣＤ６の表示画像を鑑賞する人に違和感を与えない表示画像を提供することができる。
【００６９】
つぎに、表示装置としてＰＤＰを採用した場合について述べる。
【００７０】
再生装置５１は、図１１に示すように、ＰＤＰ５２が接続されており、入力された映像信号に所定の処理を行ない、処理後の映像信号をＰＤＰ５２に出力する。ＰＤＰ５２は、画像を表示するパネルを有しており、入力された映像信号を表示画像に変換し、当該パネルに表示する。ここで、ＰＤＰ５２の駆動方法について説明する。
【００７１】
ＰＤＰ５２は、放電セルに印加する駆動電圧の形態によりＡＣ型ＰＤＰとＤＣ型ＰＤＰとに分類される。ＡＣ型ＰＤＰは、一般にパルス電圧でセルの駆動を行なうが、ＤＣ型ＰＤＰは、直流電圧でセルの駆動を行なう。パネル構造においても両者は異なり、ＡＣ型ＰＤＰは、電極がガラス材料の誘電体に覆われている構造であるのに対して、ＤＣ型ＰＤＰは、電極が放電空間に剥き出しの構造となっている。ＤＣ型ＰＤＰは、放電による電極材料の飛散のため長時間表示すると輝度が低下しやすい。一方、ＡＣ型ＰＤＰは、誘電体層で電極が保護されているため、電極材料の飛散による輝度の低下がなく長寿命である。
【００７２】
また、ＡＣ型ＰＤＰは、放電により発生した電荷がその誘電体層に蓄積することから、その壁電荷を利用してメモリ機能を持たせることができる。ＡＣ型ＰＤＰでは、この機能により、書き込みを行なっているライン以外の表示ラインも維持放電を常に行なうことができるため、大画面で操作ライン数が増えても輝度が低下することがないという特徴を有している。
【００７３】
近年、ＴＶ用のディスプレイとして注目されている大型カラーＰＤＰは、上述したＡＣ型ＰＤＰの特徴を活かして実用化されている。
【００７４】
また、ＰＤＰ５２は、特有の表示方式であるサブフィールド方式を採用しているため、動画表示を行なった際には、画像劣化の原因となる擬似輪郭状のノイズ（以下、擬似輪郭という。）が発生する。このような擬似輪郭は、図１２（ａ）に示すように、サブフィールドの維持発光期間がフィールド内で散らばっていることが原因で発生する。そこで、動画の擬似輪郭の対応処理として、例えば、図１２（ｂ）に示すように、フィールド内で発光する期間をできるだけ一個所に集めるような配置を行なう方法がある。しかし、この方法は、実現するための駆動方法が高度なため、装置自体が大変高価なものとなってしまう。また、図１２（ｃ）に示すように１フィールド内でのサブフィールドの順序を変える方法もある。この方法には、１フィールド内でのサブフィールドの順序を最適化してすべての画素について順序を固定して使用するものや、画素によってサブフィールドの順序を変えることによって画素間の相互作用によってノイズを低減するもの等がある。また、各サブフィールドにおける発光期間をほぼ同じ長さに設定しておき、図１２（ｄ）に示すように、輝度が明るくなるにしたがって発光するサブフィールドが連続して増えていくものもある。この方法は、輝度の変化に対して１フィールド期間中のサブフィールドの維持発光パターンが連続的な配置となるために、擬似輪郭は発生しない。しかし、この方法では、表現できる階調数が大幅に少なくなるため、フィールド間で維持パルス数を変化させたり、誤差拡散法などを用いて見かけ上の階調数を増加させる必要がある。
【００７５】
ここで、擬似輪郭を補正する手順について図１３に示すフローチャートを用いて説明する。
【００７６】
再生装置５１は、記録媒体から映像信号を読み出し（ステップＳＴ２０）、画像の各画素で輝度値が変化する直前のフレーム（以下、前フレームという。）と直後のフレーム（以下、後フレームという。）との差分を検出し（ステップＳＴ２１）、検出した前フレームと後フレームの差分に基づいて映像信号を補正し（ステップＳＴ２２）、補正した映像信号をＰＤＰ５２に出力する（ステップＳＴ２３）。このようにして擬似輪郭の補正を行なっている。
【００７７】
しかし、ステップＳＴ２２による映像信号の補正は、図１２（ｂ）〜図１２（ｄ）に示したような方法による機械的なものであるため、補正処理が強すぎたり又は弱すぎたりして、実際に表示画像を鑑賞する人に違和感を与えてしまう場合がある。
【００７８】
そこで、本発明では、実際に表示画像を鑑賞する人に違和感を与えない補正処理を行ない、かつ、再生装置（受信部）側の補正処理の負担を軽減するシステムを提案する。
【００７９】
本発明を適用するシステムは、図１４に示すように、送信部５３と受信部５４とにより構成されている。送信部５３は、被写体を撮像する撮像部５５と、映像を補正する映像補正部５６とを備える。また、映像補正部５６で補正した映像信号を所定のパッケージ・メディアに記録する場合には、映像補正部５６の後段に所定のパッケージ・メディアに映像信号を記録する映像記録部５７が備えられる。また、映像補正部５６で補正した映像信号を所定の放送方式の信号に変調する場合には、映像補正部５６の後段に所定の放送方式の信号に映像信号を変調する変調部５８が備えられる。なお、送信部５３は、映像記録部５７と変調部５８の両方を備えていても良い。
【００８０】
ここで、映像補正部５６による映像信号の補正動作について述べる。映像補正部５６には、撮像部５５で撮像した画像を無補正で表示する補正用ＰＤＰ５９と、上記補正用ＰＤＰ５９に表示されている表示画像の劣化個所に関する情報を手動で入力操作する操作部６０が接続されている。例えば、映像の専門家が補正用ＰＤＰ５９に表示されている無補正の画像を鑑賞し、補正処理が必要な劣化個所（例えば、擬似輪郭が発生している個所）を見つけ、操作部６０により所定の操作を行なう。この操作により、上記劣化個所を特定する情報（以下、インデックス情報という。）が生成され、生成されたインデックス情報が映像補正部５６に入力される。映像補正部５６は、入力されたインデックス情報に応じて、例えば、劣化が生じている個所のフレームにオーバードライブ処理を行なって補正用データを生成し、生成した補正用データを元の画像に付加する処理を行なう。つまり、映像補正部５６では、画素単位ではなくフレーム単位で補正処理を行なう。
【００８１】
そして、映像補正部５６は、補正処理後の画像を再び補正用ＰＤＰ５９に出力する。専門家は、画像に劣化個所がなくなるまで上述した補正処理を行なう。
【００８２】
また、映像補正部５６は、生成した補正用データをメモリに記憶させる。なお、映像補正部５６では、専門家が認識した劣化個所のすべてを補正するので、補正の対象は擬似輪郭のみに限られない。また、バランスの良い補正処理を行なうために、上記補正処理は、複数人の専門家で行なっても良い。
【００８３】
映像補正部５６は、上述のようにして生成した補正用データとインデックス情報が付加された映像信号を映像記録部５７又は変調部５８に出力する。
【００８４】
映像記録部５７は、補正用データとインデックス情報が付加された映像信号を所定のパッケージ・メディアに記録する。例えば、パッケージ・メディアがＤＶＤ等の光ディスクの場合には、データエリアにインデックス情報が付加された映像信号を記録し、空きエリアに補正用データを記録する。また、パッケージ・メディアがＶＨＳ等のテープ媒体の場合には、補正用データは、ＮＴＳＣ信号のブランキング期間に重畳され、映像信号とともに記録トラックに記録する。
【００８５】
また、変調部５８は、補正用データとインデックス情報が付加された映像信号とを所定の放送方式に応じた信号に変調する。放送方式がＮＴＳＣ方式の場合には、補正用データは、ブランキング期間に重畳され、インデックス情報が付加された映像信号とともに受信部８に送信される。
【００８６】
一方、受信部５４は、パッケージ・メディアから補正用データとインデックス情報が付加された映像信号を読み出すデータ読出部６１と、送信部５３の変調部５８から送信されてきた信号を受信する信号受信部６４と、信号受信部６４で受信した信号から補正用データとインデックス情報が付加された映像信号を抽出する抽出部６５と、補正用データに基づきインデックス情報が付加された映像信号に所定の処理を行なう処理部６２と、処理後の映像信号をＰＤＰ５２に出力する出力部６３とを備えている。
【００８７】
ここで、映像記録部５７で生成されたパッケージ・メディアから映像信号及び補正用データを読み出し、補正用データに基づき補正処理をした映像信号をＰＤＰ５２で表示する場合の受信部５４の動作について説明する。データ読出部６１は、パッケージ・メディアからインデックス情報が付加されている映像信号及び補正用データを読み出して、処理部６２に出力する。処理部６２は、映像信号からインデックスが付加されているフレームを検出し、対応する補正用データに基づき上記フレームに所定の処理を行ない、処理後の映像信号を出力部６３に供給する。なお、処理部６２は、映像信号に複数のインデックスが付加されている場合には、上記インデックスが付加されているフレームをすべて検出し、それぞれに対応する補正用データに基づき所定の処理を行なう。
【００８８】
出力部６３は、供給された映像信号をＰＤＰ５２に適合した信号に変換し、変換後の信号をＰＤＰ５２に出力する。ＰＤＰ５２は、画像を表示するパネルを有しており、出力部６３から入力された映像信号を表示画像に変換し、当該パネルに表示する。
【００８９】
また、変調部５８で変調された放送信号を受信し、受信した信号を表示画像に変換しＰＤＰ５２に表示する場合の受信部５４の動作について説明する。信号受信部６４は、変調部５８から供給された信号を受信し、抽出部６５に出力する。抽出部６５は、入力された信号から補正用データとインデックス情報が付加されている映像信号を抽出し、処理部６２に出力する。処理部６２は、補正用データに基づきインデックス情報が付加されている映像信号に所定の処理を行ない、処理後の映像信号を出力部６３に供給する。出力部６３は、供給された映像信号をＰＤＰ５２に適合した信号に変換し、変換後の映像信号をＰＤＰ５２に出力する。ＰＤＰ５２は、出力部６３から入力された映像信号を表示用の画像に変換し、パネルに画像を表示する。
【００９０】
ここで、上述した送信部５３及び受信部５４で構成されるシステムにより画像劣化を補正する手順について図１５に示すフローチャートを用いて説明する。
【００９１】
まず、映像補正部５６に備えられている補正用ＰＤＰ５９で無補正の画像を表示する（ステップＳＴ３０）。専門家は、補正用ＰＤＰ５９に表示されている画像を鑑賞し（ステップＳＴ３１）、補正用ＰＤＰ５９に表示されている画像から擬似輪郭が発生しているフレームを見つけだす（ステップＳＴ３２）。専門家は、擬似輪郭が発生しているフレームを見つけた場合、映像補正部５６に備えられている操作部６０を操作する。操作部６０は、専門家の操作に応じてインデックス情報を生成し、生成したインデックス情報を映像補正部５６に出力する。また、このとき、専門家は、操作部６０を操作して映像信号を補正する補正量を直接入力しても良い。この場合、映像補正部５６は、上記補正量にしたがって補正用データを生成する。
【００９２】
映像補正部５６は、擬似輪郭が発生しているフレームに補正処理を行ない補正用データを生成する（ステップＳＴ３３）。生成した補正用データに基づき補正した映像信号を補正用ＰＤＰ５９に表示し（ステップＳＴ３４）、補正用ＰＤＰ５９に表示されている画像を再び専門家がチェックする（ステップＳＴ３５）。
【００９３】
そして、補正用ＰＤＰ５９に表示されている画像がステップＳＴ３１で鑑賞したときに比べて良くなっているかどうかが専門家により判断され（ステップＳＴ３６）、良くなっていると判断された場合には、ステップＳＴ３１に戻り、悪くなっていると判断された場合には、１つ前の補正用データをメモリに記憶する（ステップＳＴ３７）。こうして生成された補正用データをインデックス情報が付加された映像信号とともに送信部５３に送る。
【００９４】
受信部５４では、処理部６２により補正用データに基づき映像信号に所定の処理を行ない、処理後の映像信号をＰＤＰ５２に出力する（ステップＳＴ３８）。
【００９５】
このように構成されたシステムでは、送信部５３において、専門家が補正用ＰＤＰ５９に表示されている無補正の画像を鑑賞し、擬似輪郭が発生している個所等の補正処理が必要な個所を見つけ、その個所にインデックス情報を付加し、当該専門家の目から見て違和感が無くなる程度まで上記インデックス情報を付加したフレーム全体に補正処理を行い、上記補正処理に基づき補正用データを生成し、無補正のインデックス情報が付加された映像信号と補正用データを所定の形式で受信部５４に出力し、また、受信部５４において、補正用データに基づいてインデックス情報が付加された映像信号に所定の処理を行い、処理後の映像信号をＰＤＰ５２に出力するので、受信部５４による補正処理の負担を軽減することができ、また、専門家の判断に基づいて生成された補正用データにより画像の補正処理を行なうので、実際にＰＤＰ５２の表示画像を鑑賞する人に違和感を与えない表示画像を提供することができる。
【００９６】
なお、本発明では、図１６（ａ）に示すように、映像送信部において、無補正の映像信号と表示装置の表示形式の特性を考慮した複数の補正用データを映像受信部に送信しても良い。この場合は、映像受信部は、送信されたデータから表示装置の表示形態に応じた補正用データと映像信号を読み出し、読み出した補正用データに基づき映像信号に所定の処理を行ない、処理後の映像信号を表示装置に出力する。
【００９７】
また、本発明では、図１６（ｂ）に示すように、映像送信部に映像受信部に接続されている表示装置の情報を通知しても良い。この場合には、映像送信部は、補正用データを上記通知に基づき生成し、生成した補正用データを無補正の映像信号とともに映像受信部に送信する。なお、本発明では、映像送信部と映像受信部は、有線通信に対応するように構成されていても良いし、無線通信に対応するように構成されていても良い。
【００９８】
さらに、本発明では、例えば、工場等でパッケージ・メディアに無補正の映像信号と、表示装置の表示形式の特性を考慮した複数の補正用データを記録し、ユーザーが上記パッケージ・メディアを入手し、パッケージ・メディアから所定の補正用データと映像信号を読み出し、読み出した補正用データに基づき映像信号に所定の処理を行ない、処理後の映像信号を表示装置に出力しても良い。
【００９９】
また、上述した補正用データは、特定の受信部でなければ読み出せないように暗号化処理を行なっておいても良い。
【０１００】
【発明の効果】
以上詳細に説明したように、本発明に係る信号処理装置は、補正処理前のメイン情報を所定の表示方式により表示する表示手段と、上記表示手段に表示されている表示画像の劣化個所の情報を入力する情報入力手段と、上記情報入力手段により入力した情報に応じて劣化個所の画像を補正するための補正情報を生成する補正情報生成手段とを備えるので、表示装置固有の特性により生じる表示画像の劣化を、受信部に多大な負担をかけずに補正処理し、かつ表示装置の表示画像を鑑賞する人に違和感のない表示画像を提供することができる。
【０１０１】
また、以上詳細に説明したように、本発明に係る信号処理方法は、補正処理前のメイン情報を所定の表示形式により表示装置に表示し、上記表示装置に表示されている表示画像の劣化個所の情報を入力し、上記情報に応じて劣化個所の画像を補正するための補正情報を生成するので、受信部に多大な負担をかけずに補正処理し、かつ表示装置の表示画像を鑑賞する人に違和感のない表示画像を提供することができる。
【０１０２】
また、以上詳細に説明したように、本発明に係るプログラムは、コンピュータに、補正処理前のメイン情報を所定の表示形式により表示装置に表示する工程と、上記表示装置に表示されている表示画像の劣化個所の情報を入力する工程と、上記情報に応じて劣化個所の画像を補正するための補正情報を生成する工程を実行させるものであるので、受信部に多大な負担をかけずに補正処理し、かつ表示装置の表示画像を鑑賞する人に違和感のない表示画像を提供することができる。
【０１０３】
さらに、以上詳細に説明したように、本発明に係るコンピュータ読取り可能な記録媒体は、補正処理前のメイン情報を所定の表示形式により表示装置に表示する工程と、上記表示装置に表示されている表示画像の劣化個所の情報を入力する工程と、上記情報に応じて劣化個所の画像を補正するための補正情報を生成する工程を実行させるためのプログラムが記録されているので、受信部に多大な負担をかけずに補正処理し、かつ表示装置の表示画像を鑑賞する人に違和感のない表示画像を提供することができる。
【図面の簡単な説明】
【図１】ＣＲＴが接続されている受信部の構成を示すブロック図である。
【図２】ＣＲＴのガンマ特性とガンマ補正処理の入出力信号の関係を示す図である。
【図３】本発明を適用した送信部と受信部とからなる第１のシステムの構成例を示すブロック図である。
【図４】ＬＣＤが接続されている受信部の構成を示すブロック図である。
【図５】応答ぼけを補正する手順を示すフローチャートである。
【図６】フレーム間の差分を検出し（ａ）、検出した後のフレームに補正量を加算する（ｂ）処理を輝度の変化により示す図である。
【図７】ホールド型における動きぼけのメカニズムを示す図である。
【図８】本発明を適用した送信部と受信部とからなる第２のシステムの構成例を示すブロック図である。
【図９】図８に示すシステムにより画像劣化を補正する手順を示すフローチャートである。
【図１０】ＬＣＤのＳ字特性と逆Ｓ字補正処理の入出力信号の関係を示す図である。
【図１１】ＰＤＰが接続されている受信部の構成を示すブロック図である。
【図１２】動画擬似輪郭補正の処理の一例を示す図である。
【図１３】擬似輪郭を補正する手順を示すフローチャートである。
【図１４】本発明を適用した送信部と受信部とからなる第３のシステムの構成例を示すブロック図である。
【図１５】図１４に示すシステムにより画像劣化を補正する手順を示すフローチャートである。
【図１６】送信部から受信部に映像信号と補正用データを送信する際の形態の一例を示す図である。
【符号の説明】
１，５，５１  再生装置、２  ＣＲＴ、３，７，５３  送信部、４，８，５４受信部、６  ＬＣＤ、５２  ＰＤＰ
【図１】
2004233679.tif 000003
【図２】
2004233679.tif 000004
【図３】
2004233679.tif 000005
【図４】
2004233679.tif 000006
【図５】
2004233679.tif 000007
【図６】
2004233679.tif 000008
【図７】
2004233679.tif 000009
【図８】
2004233679.tif 000010
【図９】
2004233679.tif 000011
【図１０】
2004233679.tif 000012
【図１１】
2004233679.tif 000013
【図１２】
2004233679.tif 000014
【図１３】
2004233679.tif 000015
【図１４】
2004233679.tif 000016
【図１５】
2004233679.tif 000017
【図１６】
2004233679.tif 000018